(57)【要約】【課題】省電力機能を有する画像形成装置においては、ユーザが所望する機能だけを実施したいとしても、使用予定のない他の部位への給電も再開される場合があり、無駄に電力を消費してしまうという問題があった。【解決手段】  情報を表示し、入力を受け付けるパネル部５と、ユーザ情報を入力するテキストボックス２３ａとユーザが機能を選択する機能選択エリア２３ｃとを有する認証画面２３を表示させるパネル制御部６０と、ユーザ情報と使用が許可されている機能情報とを記憶する記憶部２０と、ユーザに使用許可されている機能を特定するシステム制御部１０とを有し、パネル制御部６０が、所望の機能を利用可能とするため必要な部位に給電する待機状態に移行する際に認証画面２３を表示し、テキストボックス２３ａにユーザ情報が入力されたときに、このユーザ情報に基づいて機能選択画面の表示形態を決定する。【選択図】図３
2014146908.tif 000002
【特許請求の範囲】
【請求項１】
画像形成に係る機能の、一部或いは全部に係る複数の部位に対する給電を制御する機能を有する画像形成装置において、  
情報を表示し、ユーザによる入力を受け付けるパネル部と、
ユーザがユーザを識別するためのユーザ情報を入力するユーザ情報入力画面と、ユーザが機能を選択する機能選択画面とを有する認証画面を前記パネル部に表示させるパネル制御部と、
ユーザを識別するためのユーザ情報と、該ユーザ情報に対応して設定された使用が許可されている機能情報とを記憶する記憶部と、
前記ユーザ情報入力画面を介して入力されるユーザ情報と、前記記憶部に記憶された前記ユーザ情報及び前記機能情報とに基づいて、前記ユーザ情報入力画面を介して入力されるユーザ情報に対応する、使用許可されている機能を特定するシステム制御部と
を有し、
前記パネル制御部は、所望の機能を利用可能とするために必要な部位に給電する待機状態に移行する際に前記認証画面を表示し、前記ユーザ情報入力画面にユーザ情報が入力されたときに、該ユーザ情報に基づいて前記機能選択画面の表示形態を決定することを特徴とする画像形成装置。
【請求項２】
前記パネル制御部は、前記ユーザ情報入力画面を介して入力されるユーザ情報に対応する、使用許可されている機能だけを選択可能とした表示形態の前記機能選択画面を表示することを特徴とする請求項１記載の画像形成装置。
【請求項３】
前記システム制御部は、ユーザが前記認証画面に対してログインを要求したときに、前記機能選択画面によって選択されている機能に係る部位にだけ給電することを特徴とする請求項１又は２記載の画像形成装置。
【請求項４】
前記パネル制御部は、パスワード入力画面を有する認証画面を前記パネル部に表示させ、
前記記憶部は、記憶する前記ユーザ情報に対応するパスワードを記憶し、
前記システム制御部は、前記ユーザ情報入力画面を介して入力されるユーザ情報と前記パスワード入力画面を介して入力されるパスワードが所定の対応関係にあるときのみ、前記ログインに応じて給電することを特徴とする請求項３記載の画像形成装置。
【請求項５】
前記機能は、コピー、スキャナ、ファックス、プリントの少なくとも１つを含み、前記機能に係る部位は、スキャナ部、プリンタ部、ファックス通信部の少なくとも１つを含むことを特徴とする請求項１乃至４の何れかに記載の画像形成装置。
【請求項６】
画像形成に係る機能の、一部或いは全部に係る部位に対する給電を制御する機能を有する画像形成装置において、
情報を表示し、ユーザによる入力を受け付けるパネル部と、
ユーザが実行予定の機能を少なくとも１つ選択する機能選択画面を有する機能指定画面を前記パネル部に表示させるパネル制御部と、
可搬性記憶媒体からユーザを識別するためのユーザ情報を読み取るユーザ識別情報読取り部と、
ユーザを識別するためのユーザ情報と、該ユーザ情報に対応して設定された使用が許可されている機能情報とを記憶する記憶部と、
前記ユーザ識別情報読取り部が読み取ったユーザ情報と、前記記憶部に記憶された前記ユーザ情報及び前記機能情報とに基づいて、前記ユーザ識別情報読取り部が読み取ったユーザ情報に対応する、使用許可されている機能を特定するシステム制御部と
を有し、
前記パネル制御部は、所望の機能を利用可能とするために必要な部位に給電する待機状態に移行する際に前記機能選択画面を表示し、
前記システム制御部は、前記ユーザ識別情報読取り部が読み取ったユーザ情報に基づいて、前記機能選択画面によって選択されている機能に係る部位にだけ給電することを特徴とする画像形成装置。
【請求項７】
前記システム制御部は、前記機能選択画面によって選択されている機能の中から、前記ユーザ識別情報読取り部が読み取ったユーザ情報に対応する、使用許可されている機能に係る部位に給電することを特徴とする請求項６に記載の画像形成装置。
【請求項８】
前記可搬性記憶媒体は、非接触型のＩＣカードであることを特徴とする請求項６又は７記載の画像形成装置。
【請求項９】
前記機能は、コピー、スキャナ、ファックス、プリントの少なくとも１つを含み、前記機能に係る部位は、スキャナ部、プリンタ部、ファックス通信部の少なくとも１つを含むことを特徴とする請求項６乃至８の何れかに記載の画像形成装置。
【発明の詳細な説明】
【技術分野】
【０００１】
本発明は、画像形成装置に関し、特に省電力機能を有する画像形成装置に関するものである。
【背景技術】
【０００２】
従来、スキャナ部、プリンタ部、ファックス部といった各種機能部を有するＭＦＰ（Ｍｕｌｔｉｆｕｎｃｔｉｏｎ  Ｐｅｒｉｐｈｅｒａｌ）は、このような各種機能部に対して、給電を一時的に停止する省電力モードを有しており、ユーザが装置の利用を開始することによって、省電力モードから復帰し、給電を一時的に停止していた機能部への給電を再開している。特に、プリンタ部の定着器のように準備に時間を要する部位は、ユーザが機能を実行する前に給電を再開しておくことで、ユーザの待ち時間を軽減している。
【０００３】
また、予め不揮発性記憶媒体であるＩＣカード内に、省電力モードから復帰する際に給電を再開する機能部を指定する給電再開情報を格納しておき、省電力モードから復帰する際、当該装置が、このＩＣカードを検出すると共に給電再開情報を読み出し、指定される機能部のみ給電を再開することによって、ユーザが使用できない機能部に対しての給電を停止したままとし、不要な消費電力を軽減する装置があった（例えば、特許文献１参照）。
【先行技術文献】
【特許文献】
【０００４】
【特許文献１】特開２０１０−２４３７５４号公報（第６頁、図３）
【発明の概要】
【発明が解決しようとする課題】
【０００５】
しかしながら、上記した従来の装置では、例えば、ユーザがスキャンＴＯメール（原稿から読取った画像をＥメールに添付し、指定された宛先へ送信する）だけを実施したいとしても、ユーザが使用予定のないプリント部への給電も再開される場合があり、無駄に電力を消費してしまうという問題があった。
【課題を解決するための手段】
【０００６】
本発明による画像形成装置は、画像形成に係る機能の、一部或いは全部に係る複数の部位に対する給電を制御する機能を有する画像形成装置であって、  
情報を表示し、ユーザによる入力を受け付けるパネル部と、ユーザがユーザを識別するためのユーザ情報を入力するユーザ情報入力画面と、ユーザが機能を選択する機能選択画面とを有する認証画面を前記パネル部に表示させるパネル制御部と、ユーザを識別するためのユーザ情報と、該ユーザ情報に対応して設定された使用が許可されている機能情報とを記憶する記憶部と、前記ユーザ情報入力画面を介して入力されるユーザ情報と、前記記憶部に記憶された前記ユーザ情報及び前記機能情報とに基づいて、前記ユーザ情報入力画面を介して入力されるユーザ情報に対応する、使用許可されている機能を特定するシステム制御部とを有し、
前記パネル制御部は、所望の機能を利用可能とするために必要な部位に給電する待機状態に移行する際に前記認証画面を表示し、前記ユーザ情報入力画面にユーザ情報が入力されたときに、該ユーザ情報に基づいて前記機能選択画面の表示形態を決定することを特徴とする。
【０００７】
本発明による別の画像形成装置は、画像形成に係る機能の、一部或いは全部に係る部位に対する給電を制御する機能を有する画像形成装置であって、
情報を表示し、ユーザによる入力を受け付けるパネル部と、ユーザが実行予定の機能を少なくとも１つ選択する機能選択画面を有する機能指定画面を前記パネル部に表示させるパネル制御部と、可搬性記憶媒体からユーザを識別するためのユーザ情報を読み取るユーザ識別情報読取り部と、ユーザを識別するためのユーザ情報と、該ユーザ情報に対応して設定された使用が許可されている機能情報とを記憶する記憶部と、前記ユーザ識別情報読取り部が読み取ったユーザ情報と、前記記憶部に記憶された前記ユーザ情報及び前記機能情報とに基づいて、前記ユーザ識別情報読取り部が読み取ったユーザ情報に対応する、使用許可されている機能を特定するシステム制御部とを有し、
前記パネル制御部は、所望の機能を利用可能とするために必要な部位に給電する待機状態に移行する際に前記機能選択画面を表示し、前記システム制御部は、前記ユーザ識別情報読取り部が読み取ったユーザ情報に基づいて、前記機能選択画面によって選択されている機能に係る部位にだけ給電することを特徴とする。
【発明の効果】
【０００８】
本発明によれば、待機状態において、ユーザに対して使用が許可されている機能のうち、使用を予定している機能に係る部位のみへ給電することが可能となる。
【図面の簡単な説明】
【０００９】
【図１】本発明による実施の形態１の画像形成装置の要部概略構成を示す概略構成図である。
【図２】ブラック用トナー画像形成ユニット及びその周辺の概略構成を示す部分拡大図である。
【図３】実施の形態１の画像形成装置の本発明に関与する要部動作を制御する制御系の構成を示すブロック図である。
【図４】ユーザ情報管理テーブルを示す図である。
【図５】実施の形態１において、認証画面データをパネル部のタッチパネル形式の液晶ディスプレイに表示した認証画面の構成を説明する図である。
【図６】実施の形態１において、画像形成装置の動作を説明するためのフローチャートである。
【図７】実施の形態１において、画像形成装置の動作を説明するためのフローチャートである。
【図８】実施の形態１において、ユーザが復帰キーをタッチした際に表示される認証画面である。
【図９】実施の形態１において、利用機能選択エリアの表示内容が更新された際に表示される認証画面である。
【図１０】実施の形態１において、入力が適切でない場合に表示される認証エラー画面である。
【図１１】本発明による実施の形態２の画像形成装置の要部概略構成を示す概略構成図である。
【図１２】実施の形態１において、トップ画面データをパネル部のタッチパネル形式の液晶ディスプレイに表示したトップ画面の構成を説明する図である。
【図１３】実施の形態２において、画像形成装置の動作を説明するためのフローチャートである。
【図１４】実施の形態２において、ユーザが復帰キーをタッチした際に表示されるトップ画面である。
【図１５】実施の形態２において、入力が適切でない場合に表示される認証エラー画面である。
【図１６】実施の形態２において、選択した機能の中で、禁止されている機能を報知する報知画面である。
【発明を実施するための形態】
【００１０】
実施の形態１．
図１は、本発明による実施の形態１の画像形成装置１の要部概略構成を示す概略構成図である。
【００１１】
同図中、画像形成装置１は、プリンタ部２、スキャナ部３、及びフィニッシャ部４を備えるデジタル複合機としての機能を備えている。プリンタ部２は、給紙トレイ２０１〜２０５、給紙部２０６、画像形成部２０７、定着器２０８、排出部２０９、及び両面印刷ユニット２１０により構成されている。給紙トレイ２０１〜２０５は、それぞれ印刷用紙２１１を所定量備え、印刷する際に、その積層方向上方の印刷用紙を１枚ずつ所定のタイミングで給紙部２０６に排出し、排出された印刷用紙２１１は、給紙部２０６によって画像形成部２０７に給紙される。プリンタ部２では、１つのジョブとしてプリンタ部２に送られてきた画像情報に基づく画像を、画像形成部２０７に搬送される印刷用紙２１１に印刷する。尚同図中の印刷用紙２１１の搬送路（太線で示す）に示す矢印は、その位置での印刷用紙の搬送方向を示している。
【００１２】
画像形成部２０７は、ブラック（Ｋ）、イエロー（Ｙ）、マゼンタ（Ｍ）、シアン（Ｃ）の各トナー像を形成する４つの画像形成ユニット２５０Ｋ，２５０Ｙ，２５０Ｍ，２５０Ｃを有し、印刷用紙２１１の挿入側から排出側に向かって順に並べて配設される。直列に並べられた４つの画像形成ユニット２５０Ｋ，２５０Ｙ，２５０Ｍ，２５０Ｃは、全て同じ構成でＬＥＤ（Ｌｉｇｈｔ  Ｅｍｉｔｔｉｎｇ  Ｄｉｏｄｅ）方式のデジタルカラープリンタを構成し、使用されるトナーの色、即ち、ブラック（Ｋ）、イエロー（Ｙ）、マゼンタ（Ｍ）、シアン（Ｃ）のみが異なる。
【００１３】
ここでは用紙搬送方向の上流側から順に、ブラック（Ｋ）用の画像形成ユニット２５０Ｋ、イエロー（Ｙ）用の画像形成ユニット２５０Ｙ、マゼンタ（Ｍ）用の画像形成ユニット２５０Ｍ、及びシアン（Ｃ）用の画像形成ユニット２５０Ｃが配列されている。尚、トナー画像形成ユニット２５０Ｋ，２５０Ｙ，２５０Ｍ，２５０Ｃは、特に個々を区別する必要がなくて総称する場合にはトナー画像形成ユニット２５０と記す。
【００１４】
従って、ここでは簡単のため、代表してブラック（Ｋ）の画像形成ユニット２５０Ｋのみ、その概略構成を説明する。図２は、このトナー画像形成ユニット２５０Ｋ及びその周辺の概略構成を示す部分拡大図である。
【００１５】
同図に示すように、画像形成ユニット２５０Ｋは、感光体ドラム２７１、帯電ローラ２７２、現像ローラ２７３、供給ローラ２７４、ＬＥＤヘッド２７５、及び転写ローラ２７６を有する。感光体ドラム２７１の周囲には、その回転方向（同図の矢印方向）の上流側から順に、感光体ドラム２７１の表面を一様に帯電させるための帯電ローラ２７２、画像情報に基づいて一様に帯電された感光体ドラム２７１の表面を露光して静電潜像を形成するためのＬＥＤヘッド２７５、この静電潜像上にトナーを載せてトナー現像を形成するための現像ローラ２７３、そして図示しない搬送ベルトによって搬送路（太線で示す）を搬送される印刷用紙２１１にトナー現像を転写する転写ローラ２７６が配置され、そして現像ローラ２７３に接して、図示しないトナーカートリッジから供給されるトナー（ここはブラック）を、その表面へ帯電して供給するためのトナー供給ローラ２７４が配置されている。尚、各画像形成ユニット２５０は、図示しない個別のモータにより駆動される。
【００１６】
印刷用紙２１１は、画像形成部２０７において同様にしてイエロー（Ｙ）、マゼンタ（Ｍ）、シアン（Ｃ）の各トナー像が順次重ねて転写された後、定着器２０８に搬送される。定着器２０８は、定着用のローラと加圧用のローラとから構成され、例えば、ヒータ等による熱とローラ同士による圧力とによって、画像形成部２０７で印刷用紙２１１上に転写されたトナー像を同印刷用紙上に定着させる。トナー像が定着した印刷用紙２１１は、排出部２０９によってスタッカ部２１３に排出される。
【００１７】
両面印刷ユニット２１０は、定着器２０８よりも用紙搬送方向下流側に備えられ、両面印刷モード時に、図示しないガイド手段によって排出部２０９から送られてくる、一方の面にトナー像が定着した印刷用紙２１１を引込み部２１０ｂに一端引き入れた後、逆方向搬送により搬送路２１０ａに導いて再度画像形成部２０７に送り出す。これによって、画像形成部２０７は、印刷用紙２１１のトナー像が定着していない他方の面にトナー像を転写でき、両面印刷が可能となる。
【００１８】
スキャナ部３は、自動原稿送りユニット３００、ガラス台３０１、及び読み取りヘッド３０２により構成されている。このスキャナ部３は、写真、文書、図面等の画像が描画、印刷された紙やフィルムといった記録媒体としての原稿からその画像を読み込み、画像情報を形成することができる。
【００１９】
原稿は、ユーザによって、自動原稿送りユニット３００又はガラス台３０１にセットされ、読み取りヘッド３０２によって光学的に走査され、その反射光や透過光の強度情報が測定される。測定された強度情報がアナログ−デジタル変換されて画像情報となる。自動原稿送りユニット３００とガラス台３０１は、図示しない原稿センサを有しており、原稿がセットされているか否かを検出することができる。
【００２０】
フィニッシャ部４は、ユーザの指示に従って、プリンタ部２によって印刷され、排出される印刷用紙に穴あけ処理やステープル処理を実行する。
【００２１】
図３は、画像形成装置１の本発明に関与する要部動作を制御する制御系の構成を示すブロック図である。画像形成装置１は、プリンタ部２、スキャナ部３、フィニッシャ部４、パネル部５、制御部６、ファックス通信部９、及び電源部７等を備え、電源部７から電源線８を介して各部に給電されるデジタル複合機としての構成を備えている。
【００２２】
パネル部５は、英数字等を入力するキーボードと、画像形成装置１とユーザが対話的に情報を交換するＧＵＩ（Ｇｒａｐｈｉｃａｌ  Ｕｓｅｒ  Ｉｎｔｅｒｆａｃｅ）画面を表示するタッチパネル形式の液晶ディスプレイにより構成されており、画像形成装置１が省電力状態になったとき、この液晶ディスプレイのバックライトを消灯することで省電力化を図り、画像形成装置１が通常状態に復帰するとき、上記バックライトを再点灯する。
【００２３】
制御部６は、システム制御部１０、記憶部２０、通信制御部３０、印刷制御部４０、読取り制御部５０、パネル制御部６０、及び給電制御部７０を有し、システムバス８０によって接続されている。
【００２４】
システム制御部１０は、制御部６を総括的に制御する部位である。記憶部２０は、ハードディスク等の大容量記憶媒体にデータを蓄積する部位であり、この記憶媒体上にユーザ情報管理テーブル２１及び画面データ２２を記憶している。ユーザ情報管理テーブル２１と、画面データ２２については後述する。
【００２５】
通信制御部３０は、ＮＩＣ（Ｎｅｔｗｏｒｋ  Ｉｎｔｅｒｆａｃｅ  Ｃａｒｄ）と、ＦＡＸモデムを有し、ＮＩＣを制御してＬＡＮ（Ｌｏｃａｌ  Ａｒｅａ  Ｎｅｔｗｏｒｋ）に接続し、パーソナルコンピュータやサーバとデータを送受信したり、ＦＡＸモデムを制御して公衆回線に接続し、ファクシミリとデータを送受信したりする。
【００２６】
通信制御部３０は、ＮＩＣ（Ｎｅｔｗｏｒｋ  Ｉｎｔｅｒｆａｃｅ  Ｃａｒｄ）を有し、これを制御してＬＡＮ（Ｌｏｃａｌ  Ａｒｅａ  Ｎｅｔｗｏｒｋ）に接続し、パーソナルコンピュータやサーバとデータを送受信したり、ＦＡＸモデムを有するファックス通信部９を制御して公衆回線に接続し、ファクシミリとデータを送受信したりする。
【００２７】
印刷制御部４０は、ＰＤＬ（Ｐａｇｅ  Ｄｅｓｃｒｉｐｔｉｏｎ  Ｌａｎｇｕａｇｅ）データや、スキャナ部３で読取った画像データに基づいて印刷画像を生成し、プリンタ部２及びフィニッシャ部４を制御して印刷を行う。読取り制御部５０は、スキャナ部３を制御し、自動原稿送りユニット３００又はガラス台３０１にセットされる原稿から画像を読取る。
【００２８】
パネル制御部６０は、記憶部２０に格納されている画面データ２２に基づいて、パネル部５にＧＵＩ画面を表示すると共に、パネル部５へのユーザ入力を解釈する。ユーザ入力の解釈とは、例えば、ユーザが液晶ディスプレイをタッチした際、そのタッチ位置と表示している画面の構成に基づいて、タッチ位置に表示されているＧＵＩ部品がボタンであることを特定し、ユーザ入力がボタン押下であったことを特定することである。給電制御部７０は、電源部７を制御し、電源部７と電源線８によって接続されている各部に対する給電状態を制御する。
【００２９】
次に、記憶部２０に格納されているユーザ情報管理テーブル２１、画面データ２２について説明する。
【００３０】
図４は、本実施の形態におけるユーザ情報管理テーブル２１を示す図である。ユーザ情報管理テーブル２１は、画像形成装置１を利用することが許可されているユーザのユーザ情報を管理するテーブルであり、ユーザを認証するためのユーザ情報としてのユーザ名２１ａとパスワ−ド２１ｂ、ユーザが使用できる機能を制限するための機能情報としての機能制限情報として、コピー（カラー）２１ｃ、コピー（モノクロ）２１ｄ、スキャン（カラー）２１ｅ、スキャン（モノクロ）２１ｆ、ファックス２１ｇ、プリント（カラー）２１ｈ、プリント（モノクロ）２１ｉに対する許可／禁止情報をユーザ毎に格納する。
【００３１】
画面データ２２は、パネル制御部６０がパネル部５に表示するＧＵＩ画面に係るデータであり、画像形成装置１が起動状態や省電力状態から待機状態に復帰する際に表示する認証画面データ２２ａを含んでいる。図５は、この認証画面データ２２ａをパネル部５のタッチパネル形式の液晶ディスプレイに表示した認証画面２３の構成を説明する図である。
【００３２】
尚、ここでいう起動状態とは、画像形成装置１の電源オン時の所定期間、図３に示すブロック図において、電源部７から全ての部位に給電されている状態であり、ここでいう省電力状態とは、図３に示すブロック図において、電源部７から、制御部６以外の、プリンタ部２、スキャナ部３、フィニッシャ部４、パネル部５、及びファックス通信部９への給電が停止されている状態であり、ここでいう待機状態とは、所望の機能を利用可能とするため、電源部７から、必要な部位へ給電されている状態である。
【００３３】
認証画面２３は、ユーザが画像形成装置１を利用するためのユーザ名を入力するユーザ情報入力画面としてのテキストボックス２３ａ、パスワ−ドを入力するパスワード入力画面としてのテキストボックス２３ｂ、機能毎に分類され、各機能用のログインボタンを有し、ユーザ情報管理テーブル２１の機能制限情報に基づいて表示が決定される機能選択画面としての機能選択エリア２３ｃ、及び機能選択エリア２３ｃに表示される機能は利用せず、例えば、画像形成装置１の設定情報を確認する等の目的でログインするための通常ログインボタン２３ｄにより構成される。
【００３４】
テキストボックス２３ａ、２３ｂは、この矩形領域をタッチすることにより、ハードウェアキー等で英数字等の文字を入力可能な状態となり、他のＧＵＩ部品をタッチすることにより、矩形領域に入力した内容で入力情報が確定する。機能選択エリア２３ｃは、機能毎にグル−プ分けされており、各グル−プは、カラー／モノクロの色設定を択一的に選択するラジオボタンと、ユーザがこの機能を利用することを目的としてログインするためのログインボタンを有する。
【００３５】
以上の構成において、画像形成装置１の動作について、図６及び図７に示すフローチャートを参照しながら説明する。図６及び図７に示すフローチャートは、画像形成装置１が省電力状態にあって、ユーザが、例えばパネル部５に設けられた復帰キー（図示せず）をタッチすることによってスタートし、ログインして待機状態がスタートするまでの動作過程を示すものである。尚、図６及び図７において、丸付きの同番号同士はつながっているものとする。
【００３６】
このフローがスタートすると、パネル制御部６０は、記憶部２０の画面データ２２から認証画面データ２２ａを読み出し、図８に示す認証画面２３をパネル部５に表示し、ユーザの入力を待つ（ステップＳ１０１、Ｓ１０２）。ユーザは、パネル部５を介して、認証画面２３に入力を行う（ステップＳ１０３）。
【００３７】
ステップＳ１０３において、ユーザがテキストボックス２３ａにユーザ名を入力した場合（ステップＳ１０４、「ユーザ名」）、パネル制御部６０は、ここで入力されたユーザ名を取得し、システム制御部１０に出力する。システム制御部１０は、記憶部２０のユーザ情報管理テーブル２１（図４）を読出し、ユーザ名２１ａが、入力されたユーザ名と一致するエントリ（図４に示すユーザ情報管理テーブル２１の行）を検索する（ステップＳ１０５）。
【００３８】
ユーザ情報管理テーブル２１から、入力されたユーザ名と一致するエントリが検出された場合（ステップＳ１０６、Ｙｅｓ）、システム制御部１０は、ユーザ情報管理テーブル２１から、検出されたエントリの機能制限情報２１ｃ〜２１ｉを取得し、パネル制御部６０に出力する（ステップＳ１０７）。パネル制御部６０は、入力された機能制限情報に基づいて、図９に示すように認証画面２３の機能選択エリア２３ｃの表示内容を更新して機能選択エリア２３ｃの表示形態を決定し（ステップＳ１０８）、次のユーザ入力を待つ。ユーザ情報管理テーブル２１から、入力されたユーザ名と一致するエントリが検出されない場合（ステップＳ１０６、Ｎｏ）、ステップＳ１０２に戻って、次のユーザ入力を待つ。
【００３９】
ここで、具体例をあげて、ステップＳ１０８における機能選択エリア２３ｃの表示内容の更新処理について説明する。図９は、ここで入力されたユーザ名が「Ｕｓｅｒ１」の場合の認証画面２３の表示例である。
【００４０】
ユーザ情報管理テーブル２１（図４参照）に示すように、「Ｕｓｅｒ１」に対して、コピー（カラー）２１ｃは「禁止」、コピー（モノクロ）２１ｄは「許可」の設定であるため、図９に示す機能選択エリア２３ｃのコピーグループにおいて、カラーを指定するラジオボタンを選択不可の状態にし、モノクロを指定するラジオボタンを選択状態にする。同様に、スキャン（カラー）２１ｅ、スキャン（モノクロ）２１ｆ、ファックス２１ｇ、プリント（カラー）２１ｈ、プリント（モノクロ）２１ｉにおける各設定に基づいて、他のグル−プの表示を変更する。ファックスグループについては、色設定がなく、ファックス２１ｇが「禁止」であるため、ファックス機能のログインボタンを選択不可の状態にする。
【００４１】
尚、以上の説明から明らかなように、図９に示す機能選択エリア２３ｃにおいて、網掛け表示のボタンは選択不可状態であることを示している。図８も同様である。
【００４２】
ステップＳ１０３において、ユーザがテキストボックス２３ｂにパスワードを入力した場合（ステップＳ１０４、「パスワ−ド」）、パネル制御部６０は、ステップＳ１０２に戻って、次のユーザ入力を待つ。
【００４３】
ステップＳ１０３において、ユーザが機能選択エリア２３ｃの何れかのログインボタン、或いは、通常ログインボタン２３ｄを押下した場合（ステップＳ１０４、「ログイン選択」）、パネル制御部６０は、テキストボックス２３ａ、２３ｂの入力情報を確認し、何れか一方でも入力情報がない場合（ステップＳ１０９、Ｎｏ）、図１０に例示する認証エラー画面２４を表示し（ステップＳ１１７）、ユーザによる、この表示画面のＯＫボタン２４ａの押下を確認した後、ステップＳ１０１に戻り、新たな認証画面２３をパネル部５に表示した後、次のユーザ入力を待つ。
【００４４】
テキストボックス２３ａ、２３ｂの何れにも入力情報がある場合（ステップＳ１０９、Ｙｅｓ）、パネル制御部６０及びシステム制御部１０は、ステップＳ１０５と同様に、ユーザ情報管理テーブル２１（図４参照）から、テキストボックス２３ａに入力されたユーザ名と一致するエントリを検索する（ステップＳ１１０）。エントリが検出された場合（ステップＳ１１１、Ｙｅｓ）、システム制御部１０は、検出されたエントリのパスワード２１ｂを取得し、テキストボックス２３ｂに入力されたパスワードと比較する（ステップＳ１１２）。パスワードが一致する場合（ステップＳ１１３、Ｙｅｓ）、システム制御部１０は、パネル制御部６０から、図９に示す機能選択エリア２３ｃにおいてユーザが押下したログインボタンの種別を取得する（ステップＳ１１４）。
【００４５】
一方、ステップＳ１１０でエントリが検出されない場合（ステップＳ１１１、Ｎｏ）、或いはステップＳ１１２でパスワードが一致しない場合（ステップＳ１１３、Ｎｏ）、システム制御部１０は、パネル制御部６０にユーザの認証が失敗したことを通知する。パネル制御部６０は、図１０に例示する認証エラー画面２４を表示し（ステップＳ１１７）、ユーザによる、この表示画面のＯＫボタン２４ａの押下を確認した後、ステップＳ１０１に戻り、新たな認証画面２３をパネル部５に表示した後、次のユーザ入力を待つ。
【００４６】
ステップＳ１１４において、システム制御部１０は、パネル制御部６０から取得したログインボタンの種別が、機能選択エリア２３ｃに表示されている各種機能のログインボタンであった場合（ステップＳ１１５、「機能指定ログイン」）、該当する機能に係る部位への給電を給電制御部７０に指示し、給電制御部７０は、電源部７を制御して指示された部位への給電を開始する（ステップＳ１１６）。
【００４７】
例えば、ユーザが押下したログインボタンの種別が、図９に示す機能選択エリア２３ｃのコピー機能のログインボタンであった場合、給電制御部７０は、コピー機能に係るプリンタ部２、スキャナ部３、フィニッシャ部４に給電されるように制御する。このとき、機能選択エリア２３ｃで選択されている色設定に基づいて、給電される各部位が給電再開後の動作を決定してよい。具体的には、給電再開された部位がプリンタ部２であった場合、プリンタ部２の定着器２０８は、カラー印刷とモノクロ印刷とで設定する温度が異なるため、前記選択されている色設定に基づいて、定着器２０８の設定温度を決定してよい。
【００４８】
以上のように、コピー機能、スキャン機能、ファックス機能、及びプリント機能の各機能は、選択される機能毎に給電される部位が決まっており、ここでは、プリンタ部２、スキャナ部３、フィニッシャ部４、パネル部５、及びファックス通信部９の中から、選択された機能に応じて必要な部位への給電が再開される。
【００４９】
また、パネル制御部６０から取得したログインボタンの種別が通常ログイン２３ｄであった場合、システム制御部１０は、給電制御部７０に対して、どの部位への給電も指示しない。
【００５０】
尚、ユーザが前記何れの手順でログインしても、ユーザの利用目的が変わり、給電が再開されていない部位に係る機能を実行しようとした場合、給電制御部７０は、この部位への給電を直ちに再開する。
【００５１】
以上のように、本実施の形態の画像形成装置１によれば、認証画面２３にユーザが実行予定の機能を選択する機能選択エリア２３ｃを設け、機能選択エリア２３ｃ内に表示されている各種機能のログインボタンの中から、ユーザが所望する機能のログインボタンを押下するのに伴って、該当する機能に係る部位に対して給電を再開している。これによって、ユーザに許可されている機能の実行に係る、ウォームアップ等の待ち時間を軽減するとともに、ユーザが利用しない機能に係る部位の消費電力を削減できるという効果が得られる。
【００５２】
実施の形態２．
図１１は、本発明に基づく実施の形態２の画像形成装置５０１の本発明に関与する要部動作を制御する制御系の構成を示すブロック図である。
【００５３】
この画像形成装置５０１の制御系が、前記した図３に示す実施の形態１の画像形成装置１の制御系と主に異なる点は、制御部５０６にユーザ識別情報読取部５１０が追加され、画面データ５２２がトップ画面データ５２２ａを含み、これらの変更に伴う処理動作内容が一部異なる点にある。従って、この制御系を採用する画像形成装置５０１が、前記した実施の形態１の画像形成装置１（図１）と共通する部分には同符号を付して、或いは図面を省いてここでの説明を省略し、異なる点を重点的に説明する。尚、本実施の形態の画像形成装置５０１の要部構成は、図１に示す実施の形態１の画像形成装置１の要部構成と共通するため、必要に応じて図１を参照する。
【００５４】
ユーザ識別情報読取り部５１０は、非接触型ＩＣカードの読取機構を有し、この読取機構に可搬性記憶媒体としてのＩＣカード６００がかざされたことを検出すると共に、ＩＣカード６００に記憶されているこのＩＣカード６００の所有者を識別するユーザ情報としてのユーザ識別情報６０１を読み取る。尚、ユーザ識別情報６０１は、ユーザ情報管理テーブル２１のユーザ名２１ａ（図４）に格納されている情報に対応するデータを含んでおり、ここでは「Ｕｓｅｒ１」が格納されている。
【００５５】
トップ画面データ５２２ａは、記憶部２０に格納されている画面データ５２２に含まれるＧＵＩ画面に係るデータであり、図１２は、このトップ画面データ５２２ａをパネル部５のタッチパネル形式の液晶ディスプレイに表示した機能指定画面としてのトップ画面５２３の構成を説明する図である。同図に示すように、トップ画面５２３は、機能選択画面としての機能指定エリア５２３ａを有し、機能指定エリア５２３ａは、機能毎にグループ分けされており、各グループは、カラー／モノクロの色設定を択一的に選択するチェックボックスを有する。
【００５６】
以上の構成において、画像形成装置５０１の動作について、図１３に示すフローチャートを参照しながら説明する。図１３に示すフローチャートは、画像形成装置１が省電力状態にあって、ユーザが、例えばパネル部５に設けられた復帰キー（図示せず）をタッチすることによってスタートし、ログインして待機状態がスタートするまでの動作過程を示すものである。尚、図１３において、丸付き同番号同士はつながっているものとする。
【００５７】
このフローがスタートすると、パネル制御部６０は、記憶部２０の画面データ５２２からトップ画面データ５２２ａを読み出し、図１２に示すトップ画面５２３をパネル部５に表示する（ステップＳ２０１）。
【００５８】
ユーザが、トップ画面５２３中の「利用目的の機能を選択して下さい」の表示に促されて、パネル部５を介して、トップ画面５２３の機能指定エリア５２３ａに表示されている各種機能から利用目的である機能を選択すると（チェックボックスにタッチする）、パネル制御部６０は、パネル部５を介してユーザのタッチ入力を検出し、タッチした入力位置の座標からＧＵＩ部品のチェックボックスがタッチされたことを識別し、タッチされたチェックボックスを選択状態に更新する。
【００５９】
このとき、例えばユーザが、スキャン（カラー）、ファックス（モノクロ）、プリント（モノクロ）のチェックボックスをタッチした場合、トップ画面５２３は、図１４に示すように、選択されたチェックボックスがマーキングされ画面に更新され（ステップＳ２０２）、更にユーザが、パネル部５に表示されたトップ画面５２３の「カードをかざして下さい」という表示に促されて、ユーザ識別情報読取り部５１０が有する読取機構に所持するＩＣカード６００をかざすのを待つ（ステップＳ２０３）。
【００６０】
ユーザ識別情報読取り部５１０は、その読取機構にかざされたＩＣカード６００からユーザ識別情報６０１を読取り、システム制御部１０に出力する（ステップＳ２０４）。システム制御部１０は、記憶部２０のユーザ情報管理テーブル２１を読出し、ユーザ識別情報読取り部５１０が読み取ったユーザ識別情報６０１に含まれるユーザ名と一致するエントリ（図４に示すユーザ情報管理テーブル２１の行）を検索する（ステップＳ２０５）。
【００６１】
ユーザ情報管理テーブル２１から、ユーザ識別情報６０１に含まれるユーザ名と一致するエントリが検出された場合（ステップＳ２０６、Ｙｅｓ）、システム制御部１０は、ユーザ情報管理テーブル２１から、検出されたエントリの機能制限情報２１ｃ〜２１ｉを取得すると共に、パネル制御部６０からトップ画面５２３の機能指定エリア５２３ａで選択されている機能の情報を取得し、情報を比較する（ステップＳ２０７）。
【００６２】
ユーザ情報管理テーブル２１から、ユーザ識別情報６０１に含まれるユーザ名と一致するエントリが検出されない場合（ステップＳ２０６、Ｎｏ）、システム制御部１０は、パネル制御部６０にユーザの認証が失敗したことを通知し、パネル制御部６０は、図１５に例示する認証エラー画面５２４を表示し（ステップＳ２１１）、ユーザによる、この表示画面のＯＫボタン５２４ａの押下を確認した後、ステップＳ２０１に戻り、新たなトップ画面５２３をパネル部５に表示した後、次のユーザ入力を待つ。
【００６３】
ここで具体例をあげて、ステップＳ２０７における、機能制限情報２１ｃ〜２１ｉ（図４）と機能指定エリア５２３ａで選択されている機能の情報との比較処理について説明する。
【００６４】
トップ画面５２３が図１４に示す状態の場合、ユーザは、スキャン（カラー）、ファックス（モノクロ）、プリント（モノクロ）を利用することを所望している。これに対し、ユーザ識別情報６０１に含まれるユーザ名が「Ｕｓｅｒ１」の場合、ユーザ情報管理テーブル２１（図４参照）よれば、スキャン（カラー）とプリント（モノクロ）の使用は許可されているが、ファックスの使用が禁止されている。従ってシステム制御部１０は、ユーザによって所望された機能のうち、実際に利用できる「利用機能」をスキャン（カラー）とプリント（モノクロ）と判断し、利用できない「禁止機能」をファックス（モノクロ）と判断する。
【００６５】
以上の結果、システム制御部１０が、ユーザが利用できない「禁止機能」を検出した場合（ステップＳ２０８、Ｙｅｓ）、システム制御部１０は、この「禁止機能」をパネル制御部６０に通知し、パネル制御部６０が、利用できない禁止機能を報知するための、図１６に例示する報知画面５２５を一定時間表示する（ステップＳ２０９）。その後、実際の「利用機能」に係る部位への給電を給電制御部７０に指示し、給電制御部７０は、電源部７を制御して指示された部位への給電を再開する（ステップＳ２１０）。
【００６６】
システム制御部１０が、ユーザが利用できない「禁止機能」を検出しなかった場合（ステップＳ１０８、Ｎｏ）、システム制御部１０は、機能指定エリア５２３ａで選択されている機能に係るすべて部位への給電を給電制御部７０に指示し、給電制御部７０は、電源部７を制御して指示された部位への給電を再開する（ステップＳ１１２）。
【００６７】
尚、本実施の形態では、ユーザ識別情報６０１を記憶する媒体として非接触型のＩＣカードを使用するようにしているが、これに限定されるものではなく、ＵＳＢメモリやＳＤカ−ド等の可搬性記憶媒体であっても良い。
【００６８】
また本実施の形態では、ユーザが使用を所望する機能に対して、トップ画面５２３の機能指定エリア５２３ａで指定するようにしているが、省電力化を重要視せずに使い勝手を重視したい場合は、図１２に示すトップ画面５２３の初期状態として、機能指定エリア５０２ａの各種チェックボックスを全て選択状態にし、ユーザが使用しない機能を選択する（チェックボックスのチェックをはずす）ようにしても良い。尚、この場合には、同時に表示するメッセージの内容も適宜変更するものである。
【００６９】
以上のように、画像形成装置５０１は、トップ画面５２３にユーザが実行予定の機能を指定する機能指定エリア５２３ａを設け、ユーザが、機能指定エリア５２３ａ内に表示されている各種機能の中から利用目的とする１つ以上の機能を指定し、ユーザ識別情報６０１を有するＩＣカード６００をユーザ識別情報読取り部５１０にかざすことによって、機能指定エリア５２３ａで指定されている機能のうち、ユーザに許可されている機能を識別し、識別された機能に係る全ての部位に対して給電を再開する。
【００７０】
従って、本実施の形態の画像形成装置５０１によれば、１度のログインで、ユーザが利用を希望し且つそのユーザが利用可能な機能に係る全ての部位に対して給電が再開されるため、機能毎に待ち時間を設ける必要がなく、ユーザの使い勝手が向上するという効果が得られる。また利用する機能に係わる部位にのみ給電を再開するため、必要以上に電力を浪費することもない。
【産業上の利用可能性】
【００７１】
上記した実施の形態では、本発明を、デジタル複合機に適用した場合を例にして説明したが、本発明はこれに限定されるものではなく、プリンタ、ファクシミリ、複写装置等の画像形成装置にも適用可能である。
【符号の説明】
【００７２】
１  画像形成装置、  ２  プリンタ部、  ３  スキャナ部、  ４  フィニッシャ部、  ５  パネル部、  ６  制御部、  ７  電源部、  ８  電源線、  ９  ファックス通信部、  １０  システム制御部、  ２０  記憶部、  ２１  ユーザ情報管理テーブル、  ２２  画面データ、  ２２ａ  認証画面データ、  ２３  認証画面、  ２３ａ  テキストボックス、  ２３ｂ  テキストボックス、  ２３ｃ  機能選択エリア、  ２３ｄ  通常ログインボタン、  ２４  認証エラー画面、  ２４ａ  ＯＫボタン、  ３０  通信制御部、  ４０  印刷制御部、  ５０  読取り制御部、  ６０  パネル制御部、  ７０  給電制御部、  ８０  システムバス、  ２０１  給紙トレイ、  ２０２  給紙トレイ、  ２０３  給紙トレイ、  ２０４  給紙トレイ、  ２０５  給紙トレイ、  ２０６  給紙部、  ２０７  画像形成部、  ２０８  定着器、  ２０９  排出部、  ２１０  両面印刷ユニット、  ２１０ａ  搬送路、  ２１０ｂ  引込み部、  ２１１  印刷用紙、  ２１３  スタッカ部、  ２５０  画像形成ユニット、  ２７１  感光体ドラム、  ２７２  帯電ローラ、  ２７３  現像ローラ、  ２７４  供給ローラ、  ２７５  ＬＥＤヘッド、  ２７６  転写ローラ、  ３００  自動原稿送りユニット、  ３０１  ガラス台、  ３０２  読み取りヘッド、  ５０１  画像形成装置、  ５０６  制御部、  ５１０  ユーザ識別情報読取部、  ５２２  画面データ、  ５２２ａ  トップ画面データ、  ５２３  トップ画面、  ５２３ａ  機能指定エリア、  ５２４  認証エラー画面、  ５２４ａ  ＯＫボタン、  ５２５  報知画面、  ６００  ＩＣカード、  ６０１  ユーザ識別情報。
【図１】
2014146908.tif 000003
【図２】
2014146908.tif 000004
【図３】
2014146908.tif 000005
【図４】
2014146908.tif 000006
【図５】
2014146908.tif 000007
【図６】
2014146908.tif 000008
【図７】
2014146908.tif 000009
【図８】
2014146908.tif 000010
【図９】
2014146908.tif 000011
【図１０】
2014146908.tif 000012
【図１１】
2014146908.tif 000013
【図１２】
2014146908.tif 000014
【図１３】
2014146908.tif 000015
【図１４】
2014146908.tif 000016
【図１５】
2014146908.tif 000017
【図１６】
2014146908.tif 000018